(57)【特許請求の範囲】
【請求項１】
ロードセルを内蔵する尿量測定装置を使って尿量を計測するための蓄尿用容器であって、
前記ロードセルに直結された計量フックに懸架するためのハンガーを有する蓄尿袋と、
前記蓄尿袋と患者を接続する導尿チューブと、
前記導尿チューブの中途に本導尿チューブを前記尿量測定装置に固定するための固定用ディスクと、
前記ロードセルの荷重時の伸びが尿量の計測値に影響を及ぼさないように前記導尿チューブの中途に位置する固定用ディスクより前記蓄尿袋側に重力方向に伸張性を有するフレキシブル・チューブを備える
ことを特徴とする蓄尿用容器。
【請求項２】
請求項１記載の蓄尿用容器を使って、尿量を計測するための尿量測定装置であって、
前記蓄尿袋の荷重を計測するためのロードセルと、
前記蓄尿袋のハンガーを懸架するためのロードセルに直結された計量フックと、
前記固定用ディスクを差し込み、固定するための固定用ディスク差込口を備える
ことを特徴とする尿量測定装置。
【発明の詳細な説明】
【技術分野】
【０００１】  本発明は、医療の現場で広く使用されている蓄尿バッグ・セットの導尿チューブの中途に、重力方向に定数値０．０１（ｋｇｆ／ｍｍ）程度の伸張性を有するフレキシブル・チューブ並びに後述の尿量測定装置の一部に差し込み、固定、維持する為の固定用ディスク並びに同装置の計量フックに懸架するためのハンガーを備えた蓄尿用容器及び前記の蓄尿用容器が備える固定用ディスクを本体の一部に固定し、同蓄尿用容器が備えるハンガーを装置下部の計量フックに懸架することで、患者から排泄された尿量を自動測定出来る尿量測定装置に関するものである。
【背景技術】
【０００２】  医療の現場において、重症患者の尿量の管理は患者の循環機能や腎機能を始めとする全身状態を把握するために極めて重要なものである。現在、広く使用されている患者から排泄された尿の貯留を主たる目的とした蓄尿バッグ・セットは目盛りも大雑把で、蓄尿袋自体が変形しやすい材質であるために、精密な尿量を測定するには不向きである。また、特許公開２００２−２５３５３７などに見られるメスシリンダー様の精密計量器を備えた蓄尿バッグ・セットでは、一定時間毎に精密計量器内に貯留された尿量を目視で読み取り、読み取りを終えた尿を蓄尿袋本体に移行・貯留する作業が必要となる。しかもこのような作業は、一日２４時間を通して人の手に委ねられている。【０００３】  人の手に依存しない自動化された尿量測定器も特許公開２００３−０４３０３４や特許公開２０１０−００８３６０などに見られるものの、尿検査機器の一機能として付加されて販売されている機器が殆どで、その機器本体が高価過ぎることや部品を再使用する機器では、再使用部品の洗浄方法や再滅菌方法が複雑なことなどから、自動尿量測定装置として、医療の現場に広く普及している装置は無い。【０００４】  また、医療の現場で広く使用されている蓄尿バッグ・セットをそのまま利用して、導尿チューブの一部をロードセル型重量計測器などの本体に固定して、蓄尿袋の総重量を測定しようと試みても、蓄尿袋自体が導尿チューブと接続され、一体化されている以上、重量測定のために必要な重力方向への伸張性を持たないことから、患者から排泄された尿及び蓄尿袋の総重量を、導尿チューブほかの重量的変化の影響を受けずに測定することは不可能である。
【先行技術文献】
【特許文献】
【０００５】
【特許文献１】特許公開２００２−２５３５３７
【特許文献２】特許公開２００３−０４３０３４
【特許文献３】特許公開２０１０−００８３６０
【特許文献４】実用新案公開平６−００４６３６
【発明の概要】
【発明が解決しようとする課題】
【０００６】  本発明は、臨床上極めて重要でありながら、従来２４時間を通して人の手に委ねられてきた入院患者の排泄尿量を自動的に測定するために、医療の現場で広く使用されている簡便で安全な密閉式の単回使用の蓄尿バッグ・セットを活用して、院内感染や周囲汚染を防止しながら、患者から排泄された尿量の自動測定を可能にする蓄尿用容器及び尿量測定装置を提供することにある。
【課題を解決するための手段】
【０００７】  前記の目的を達成する本発明の蓄尿用容器は、その導尿チューブの中途に、重力方向に定数値０．０１（ｋｇｆ／ｍｍ）程度の伸張性を持つフレキシブル・チューブと当該フレキシブル・チューブを尿量測定装置に差し込み、固定、維持する為の固定用ディスクと同装置の計量フックに蓄尿袋を懸架する為のハンガーを有することを特徴とする。【０００８】  前項の定数値０．０１（ｋｇｆ／ｍｍ）程度の伸張性とは、１０ｇの荷重で１ｍｍ程度の伸び特性を有することを言い、一般に重量測定に使用されている実用新案公開平６−４６３６などに見られるビーム形ロードセルに１０ｋｇの荷重を掛けた時の重力方向の定格変位量が１ｍｍ以下であることと、総蓄尿量が約２Ｌであることを考慮すると、本発明の蓄尿用容器及び尿量測定装置は、誤差１０ｇ以下で患者から排泄された尿量を測定することが出来る。【０００９】  また本発明の尿量測定装置は、前記の蓄尿用容器が備える固定用ディスクを本体の一部に固定、維持し、次いで同容器のハンガーを装置本体下部の計量フックに懸架することで、固定用ディスクより患者側の導尿チューブや患者に留置されている膀胱カテーテルや患者自身の動きによる重量的変化の影響を受けること無く、患者から排泄された尿及び蓄尿袋の重量を測定することが出来る。【００１０】  蓄尿用容器のハンガーを計量フックに懸架した後、尿量測定を開始するために、装置のスタート・ボタンを押した時点で重量表示をゼロにすることで、蓄尿袋の自重は自動的に差し引かれたことになり、以降は患者から排泄された尿のみの重量を測定し、表示することが出来る。
【発明の効果】
【００１１】  本発明による、導尿チューブの中途に重力方向に定数０．０１（ｋｇｆ／ｍｍ）程度の伸張性を持つフレキシブル・チューブ及び当該フレキシブル・チューブを尿量測定装置の本体の一部に差し込み、固定、維持するための固定用ディスク及び同装置の計量フックに懸架するためのハンガーを有する蓄尿用容器並びに当該固定用ディスクを差し込み、固定し、維持でき、蓄尿用容器のハンガーを懸架するための計量フックを備えている尿量測定装置は臨床上極めて重要な重症患者の分時尿量や一日尿量を自動的に測定し、デジタル表示出来る尿量測定装置として有用である。
【図面の簡単な説明】
【００１２】
【図１】  本発明の蓄尿用容器の一実施例の全体図
【図２】  本発明の尿量測定装置の一実施例の全体図
【図３】  本発明の尿量測定装置の一実施例を説明するための回路ブロック概略図
【図４】  尿量測定装置に蓄尿用容器がセットされた一実施例の全体図
【発明を実施するための形態】
【００１３】  図１は本発明の蓄尿用容器の導尿チューブ２の中途に、重力方向に定数値０．０１（ｋｇｆ／ｍｍ）程度の伸張性を持つフレキシブル・チューブ８及び当該フレキシブル・チューブ８を尿量測定装置１１の本体に差し込み、固定、維持するための固定用ディスク９並びに同装置の計量フック１４に蓄尿袋３を懸架するためのハンガー１０を有する一実施例を示す全体図である。
【００１４】  患者の膀胱内に挿入、留置された膀胱カテーテル（図示せず）に、接続コネクター１が接続され、患者から排泄された尿は導尿チューブ２を通って、蓄尿袋３に貯留される。
【００１５】  蓄尿袋３は一般的には総貯尿量２リットル程度で、熱可塑性樹脂を使った前面が透明で、背面が白色のシートを張り合わせた物が多いが、蓄尿を目的とする容器であれば、材質の硬軟や貯尿部の形状に限定は無い。また一般的に蓄尿袋３の上部には貯留された尿内の雑菌の逆行感染を防止する為の逆行防止筒４があり、袋内部の排気の為の排気用フィルター５が設置されており、下部には貯留された尿の排出用にクランプ６の付いた排液チューブ７を有し、最上部には尿量測定装置１１の計量フック１４に蓄尿袋３を懸架する為のハンガー１０が設置されている。
【００１６】  導尿チューブ２の中途には、垂直方向に定数値０．０１（ｋｇｆ／ｍｍ）程度の伸張性を持つフレキシブル・チューブ８及び当該フレキシブル・チューブ８を尿量測定装置１１の一部に差し込み、固定、維持するための固定用ディスク９が組み込まれている。フレキシブル・チューブ８が定数値０．０１（ｋｇｆ／ｍｍ）程度の伸張性を持つことで、市販されている１０ｋｇ用ビーム型ロードセルの１０Ｋｇ荷重時の平均定格変位量が１ｍｍ以下であることと、本発明の蓄尿用容器の総蓄尿量が約２Ｌであることことを考慮すると、本発明の尿量測定装置は誤差１０ｇ以下で、患者から排泄された尿量を連続的に測定し、デジタル表示することが出来る。
【００１７】  フレキシブル・チューブ８の材質としては、垂直方向に定数値０．０１（ｋｇｆ／ｍｍ）程度の伸張性を持たせる目的の為に、伸張性の高いラテックスやシリコーンを使用しても、もしくは軟質ポリ塩化ビニル樹脂などの可撓性の材料に蛇腹型の構造を持たせたチューブであってもよい。
【００１８】  固定用ディスク９は、尿量測定装置に差し込み、固定、維持することが出来るものであれば、材質の硬軟や形状に限定は無い。また、蓄尿袋３の最上部には、同袋を尿量測定装置１１の計量フック１３に懸架するためのハンガー１０を有する。ハンガー１０は、ひも状、または金属製の吊り具、または可撓性材料による板状のハンガーであってもよい。
【００１９】  図２は本発明の蓄尿用容器が有する固定用ディスク９を、装置に固定、維持する為の固定用ディスク差込口１２と、同容器が有するハンガー１０を懸架する為の計量フック１３を備える尿量測定装置１１の一実施例の全体図である。
【００２０】  尿量測定装置１１は、電源ボタン１４を押すことで電源が入り、スタート・ボタン１５を押すと尿量の測定が始まる。測定中に異常値が発生したり、蓄尿袋３内の尿を排出した場合などには、リセット・ボタン１６を押すことで表示をゼロにリセットすることが出来る。装置本体の左正面には、本発明の蓄尿用容器が有する固定用ディスク９を差し込み、固定、維持する為の固定用ディスク差込口１２を有し、本体下部には本体に内蔵されたビーム型ロードセルに直結された計量フック１３を有し、蓄尿用容器のハンガー１０を計量フック１３に懸架することで、固定用ディスク９より患者側の導尿チューブ２や患者に留置されている膀胱カテーテルや患者自身の動きによる重量的影響を受けることの無く、患者から排泄された尿量を自動的に測定し、デジタル表示パネル１７に表示することが出来る。
【００２１】  尿量測定装置１１の正面上部には、表示開始時間ボタン１８と表示最終時間ボタン１９があり、この両ボタンで任意の時間を設定して、装置内にメモリーされた患者の尿量データから、その時間尿量をデジタル表示パネル１７に表示することも出来る。また、外部出力ポート２０を使って、装置内の尿量データを外部メモリーに記録することも出来る。
【００２２】  図３は本発明の尿量測定装置１１の一実施例を説明するための回路ブロックの概略図である。
電源生成部３０からの電力を用いて、ロードセル４０に直結された計量フック１３に荷重をかけることで発生した電気信号を、増幅部５０で増幅し、増幅されたアナログ信号をＡＤ変換部６０でデジタル信号に変換した上で、演算処理部８０への接続をインターフェイス７０を介して行い、演算処理部８０で演算処理されたデータを、デジタル表示部９０で表示することが出来る。また、演算処理されたデータを外部出力部１００から外部メモリーに出力することも出来る。
【００２３】  図４は本発明の蓄尿用容器が、尿量測定装置１１にセットされて医療現場で使用される一実施例を説明するための全体図である。患者の膀胱内に留置された膀胱カテーテル（図示せず）に、接続コネクター１が接続され、患者から排泄された尿は導尿チューブ２を通って蓄尿袋３に貯留される。この導尿チューブ２の中途に、フレキシブル・チューブ８と固定用ディスク９が組み込まれており、固定用ディスク９を尿量測定装置１１の固定用ディスク差込口１２に差し込み、固定、維持し、本蓄尿用容器のハンガー１０を尿量測定装置１１の計量フック１３に懸架することで、固定用ディスク９より患者側の導尿チューブ２や患者に留置されている膀胱カテーテルや患者自身の動きによる重量的影響を受けることの無く、患者から排泄された尿及び蓄尿袋の総重量を自動的に測定することが出来る。尿量測定を開始するために、スタート・ボタン１５を押した時点でデジタル表示パネル１７の表示値はゼロとなり、即ち蓄尿袋３の自重は差し引かれたことになり、以降は患者から排泄された尿量のみを自動的に測定し、デジタル表示することが出来る。
【符合の説明】
【００２４】１、接続コネクター
２、導尿チューブ
３、蓄尿袋
４、逆行防止筒
５、排気用フィルター
６、クランプ
７、排液チューブ
８、フレキシブル・チューブ
９、固定用ディスク
１０、ハンガー
１１、尿量測定装置
１２、固定用ディスク差込口
１３、計量フック
１４、電源ボタン
１５、スタート・ボタン
１６、リセット・ボタン
１７、デジタル表示パネル
１８、表示開始時間ボタン
１９、表示最終時間ボタン
２０、外部出力ポート
３０、電源生成部
４０、ロードセル
５０、増幅部
６０、ＡＤ変換器
７０、インターフェイス
８０、演算処理部
９０、デジタル表示部
１００、外部出力部
【図１】
0005574240.tif 000002
【図２】
0005574240.tif 000003
【図３】
0005574240.tif 000004
【図４】
0005574240.tif 000005